(57)【要約】【課題】簡易な構成でスキューされたロータコアを得ることが可能なロータおよびロータの製造方法を提供する。【解決手段】円筒状の第１ロータコア７０および第２ロータコア８０を有するロータコア６１と、第１ロータコアおよび第２ロータコアに周方向に略等間隔に配された複数の永久磁石７４，８４と、を備え、第１ロータコアおよび第２ロータコアの軸中心Ｃに回転可能なシャフト２４が設けられるロータ２２において、第１ロータコアには軸方向に沿って第１ピン孔７８が形成されるとともに、第２ロータコアには軸方向に沿って第２ピン孔８８が形成され、第１ピン孔と第２ピン孔とは、軸中心から径方向への距離が等しく、軸を中心として、第１ピン孔と第２ピン孔とのなす角度がθ×Ｎ＋Ｓの位置にそれぞれ形成され、第１ピン孔および第２ピン孔にピンを挿通させて、第１ロータコアと第２ロータコアとの位置決めがなされている。【選択図】図２
2010252418.tif 000002
【特許請求の範囲】
【請求項１】
円筒状の第１ロータコアおよび第２ロータコアを有するロータコアと、
前記第１ロータコアおよび前記第２ロータコアに周方向に略等間隔に配された複数の永久磁石と、を備え、
前記第１ロータコアおよび前記第２ロータコアの軸中心に回転可能なシャフトが設けられるロータにおいて、
前記第１ロータコアには軸方向に沿って第１ピン孔が形成されるとともに、前記第２ロータコアには軸方向に沿って第２ピン孔が形成され、
前記第１ピン孔と前記第２ピン孔とは、前記軸中心から径方向への距離が等しく、前記軸を中心として、前記第１ピン孔と前記第２ピン孔とのなす角度がθ×Ｎ＋Ｓの位置
ただし、θ＝軸を中心として隣り合う永久磁石の周方向中心のなす角度
Ｎ＝永久磁石の個数以下の任意の整数
Ｓ＝第１ロータコアと第２ロータコアとのスキュー角
にそれぞれ形成され、
前記第１ピン孔および前記第２ピン孔にピンを挿通させて、前記第１ロータコアと前記第２ロータコアとの位置決めがなされていることを特徴とするロータ。
【請求項２】
前記軸を中心として、前記第１ピン孔と前記永久磁石の周方向中心とのなす角度および前記第２ピン孔と前記永久磁石の周方向中心とのなす角度が、前記軸中心と前記永久磁石の周方向中心とを結ぶ線分を境にそれぞれＳ／２の位置に前記第１ピン孔および前記第２ピン孔が形成されていることを特徴とする請求項１に記載のロータ。
【請求項３】
前記第１ロータコアにおける前記第１ピン孔の周方向１８０°異なる位置に第３ピン孔が形成されていることを特徴とする請求項１または２に記載のロータ。
【請求項４】
前記第２ロータコアにおける前記第２ピン孔の周方向１８０°異なる位置に第４ピン孔が形成されていることを特徴とする請求項３に記載のロータ。
【請求項５】
前記第１ロータコアおよび前記第２ロータコアがともに平板鋼板を積層して形成されており、
前記第１ロータコアおよび前記第２ロータコアはともに無転積で構成され、
前記第１ロータコアに対して前記第２ロータコアを１８０°回転させた状態で、前記第１ロータコアと前記第２ロータコアとが前記軸方向に積層されていることを特徴とする請求項１〜４のいずれかに記載のロータ。
【請求項６】
前記第１ロータコアおよび前記第２ロータコアのそれぞれに、前記第１ピン孔および前記第２ピン孔がともに形成されていることを特徴とする請求項１〜５のいずれかに記載のロータ。
【請求項７】
円筒状の第１ロータコアおよび第２ロータコアを有するロータコアと、
前記第１ロータコアおよび前記第２ロータコアに周方向に略等間隔に配された複数の永久磁石と、を備え、
前記第１ロータコアおよび前記第２ロータコアの軸中心に回転可能なシャフトが設けられるロータの製造方法において、
前記第１ロータコアに、軸方向に沿って第１ピン孔を形成する工程と、
前記第２ロータコアに、前記第１ピン孔と前記軸中心から径方向への距離が等しく、前記軸を中心として、前記第１ピン孔とのなす角度がθ×Ｎ＋Ｓの位置
ただし、θ＝軸を中心として隣り合う永久磁石の周方向中心のなす角度
Ｎ＝永久磁石の個数以下の任意の整数
Ｓ＝第１ロータコアと第２ロータコアとのスキュー角
になるように第２ピン孔を形成する工程と、
前記第１ロータコアの前記第１ピン孔に、前記第１ロータコアの軸方向長さよりも長いピンを挿入する工程と、
前記第１ロータコアより突出した前記ピンを前記第２ロータコアの前記第２ピン孔に挿入する工程と、
前記ピンが挿入された状態で、前記第１ヨークおよび前記第２ヨークの前記軸中心に形成された開口部に前記シャフトを挿通させる工程と、を有することを特徴とするロータの製造方法。
【発明の詳細な説明】
【技術分野】
【０００１】
本発明は、ロータおよびロータの製造方法に関するものである。
【背景技術】
【０００２】
従来から、コイルが巻装されたステータと、ステータの内側に配置されたロータと、ロータと同軸状に圧入固定され回転可能に支持されたシャフトとを備えたモータが知られている。上述したモータのロータは、複数の磁性板材が積層されたロータコアと、ロータコアの端面から軸方向に沿って形成された収容孔内に収容された永久磁石とを備えている。そして、ステータに巻装されたコイルに電流が流れることにより、ロータの永久磁石とステータとの間に吸引又は反発力が生じて、ロータが回転するようになっている。
【０００３】
ところで、上述したモータでは、シャフトの先端にギア等の伝達手段を設け、ロータの回転により得られた動力を外部機器に伝達したり、シャフトの先端にファンなどの出力手段を設け、ロータの動力を直接外部に出力したりしている。
【０００４】
しかしながら、ヘリカルギアなどの斜歯歯車を用いて動力を伝達する場合、外部機器への動力の伝達が円滑になる一方で、シャフトの軸方向に沿ってスラスト力が作用する。このスラスト力が、シャフトを支持するベアリングに向けて作用することで、ベアリングがモータハウジングの壁面に押さえつけられてしまう。具体的には、ベアリングの内輪がシャフトとともに軸方向に移動するため、ベアリングの内輪と外輪とが軸方向にずれて、ベアリングの回転性能が低下する虞がある。これに対して、ベアリングを軸方向に大きくすることで、ベアリングに作用するスラスト力による内輪と外輪との軸方向のずれを許容したり、径方向に大きくすることでモータハウジングとベアリングとの接触面積を向上させ、スラスト力を吸収したりする構成も考えられる。ところが、ベアリングを軸方向及び径方向に大型化することで、モータの大型化に繋がるという問題がある。
そこで、シャフトの軸方向に沿って生じるスラスト力を低減するために、ロータコアをスキューさせたロータが知られている（例えば、特許文献１参照）。
【先行技術文献】
【特許文献】
【０００５】
【特許文献１】特開昭５８−１１６０３３号公報
【発明の概要】
【発明が解決しようとする課題】
【０００６】
ところで、上述した特許文献１では、平板鋼板を積層してロータコアを構成し、さらにロータコアをスキューさせる場合には、平板鋼板の積層工程において平板鋼板が配されているダイ側をモータなどで所望の角度だけ回転させて積層することで製造している。
しかしながら、従来の製造過程ではダイを回転させる機構などが必要であり、製造工程が複雑化するとともに、製造コストがかかるという問題がある。
【０００７】
そこで、本発明は、上記事情を鑑みてなされたものであり、簡易な構成でスキューされたロータコアを得ることが可能なロータおよびロータの製造方法を提供するものである。
【課題を解決するための手段】
【０００８】
上記の課題を解決するために、請求項１に記載した発明は、円筒状の第１ロータコア（例えば、実施形態における第１ロータコア７０）および第２ロータコア（例えば、実施形態における第２ロータコア８０）を有するロータコア（例えば、実施形態におけるロータコア６１）と、前記第１ロータコアおよび前記第２ロータコアに周方向に略等間隔に配された複数の永久磁石（例えば、実施形態における永久磁石７４，８４）と、を備え、前記第１ロータコアおよび前記第２ロータコアの軸中心（例えば、実施形態における軸中心Ｃ）に回転可能なシャフト（例えば、実施形態におけるシャフト２４）が設けられるロータ（例えば、実施形態におけるロータ２２）において、前記第１ロータコアには軸方向に沿って第１ピン孔（例えば、実施形態における第１ピン孔７８）が形成されるとともに、前記第２ロータコアには軸方向に沿って第２ピン孔（例えば、実施形態における第２ピン孔８８）が形成され、前記第１ピン孔と前記第２ピン孔とは、前記軸中心から径方向への距離が等しく、前記軸を中心として、前記第１ピン孔と前記第２ピン孔とのなす角度がθ×Ｎ＋Ｓの位置
ただし、θ＝軸を中心として隣り合う永久磁石の周方向中心のなす角度
Ｎ＝永久磁石の個数以下の任意の整数
Ｓ＝第１ロータコアと第２ロータコアとのスキュー角
にそれぞれ形成され、前記第１ピン孔および前記第２ピン孔にピン（例えば、実施形態におけるピン６５）を挿通させて、前記第１ロータコアと前記第２ロータコアとの位置決めがなされていることを特徴としている。
【０００９】
請求項２に記載した発明は、前記軸を中心として、前記第１ピン孔と前記永久磁石の周方向中心とのなす角度および前記第２ピン孔と前記永久磁石の周方向中心とのなす角度が、前記軸中心と前記永久磁石の周方向中心とを結ぶ線分（例えば、実施形態における線分Ｅ）を境にそれぞれＳ／２の位置に前記第１ピン孔および前記第２ピン孔が形成されていることを特徴としている。
【００１０】
請求項３に記載した発明は、前記第１ロータコアにおける前記第１ピン孔の周方向１８０°異なる位置に第３ピン孔（例えば、実施形態における第３ピン孔７９）が形成されていることを特徴としている。
【００１１】
請求項４に記載した発明は、前記第２ロータコアにおける前記第２ピン孔の周方向１８０°異なる位置に第４ピン孔（例えば、実施形態における第４ピン孔８９）が形成されていることを特徴としている。
【００１２】
請求項５に記載した発明は、前記第１ロータコアおよび前記第２ロータコアがともに平板鋼板（例えば、実施形態における磁性板材４４）を積層して形成されており、前記第１ロータコアおよび前記第２ロータコアはともに無転積で構成され、前記第１ロータコアに対して前記第２ロータコアを１８０°回転させた状態で、前記第１ロータコアと前記第２ロータコアとが前記軸方向に積層されていることを特徴としている。
【００１３】
請求項６に記載した発明は、前記第１ロータコアおよび前記第２ロータコアのそれぞれに、前記第１ピン孔および前記第２ピン孔がともに形成されていることを特徴としている。
【００１４】
請求項７に記載した発明は、円筒状の第１ロータコアおよび第２ロータコアを有するロータコアと、前記第１ロータコアおよび前記第２ロータコアに周方向に略等間隔に配された複数の永久磁石と、を備え、前記第１ロータコアおよび前記第２ロータコアの軸中心に回転可能なシャフトが設けられるロータの製造方法において、前記第１ロータコアに、軸方向に沿って第１ピン孔を形成する工程と、前記第２ロータコアに、前記第１ピン孔と前記軸中心から径方向への距離が等しく、前記軸を中心として、前記第１ピン孔とのなす角度がθ×Ｎ＋Ｓの位置
ただし、θ＝軸を中心として隣り合う永久磁石の周方向中心のなす角度
Ｎ＝永久磁石の個数以下の任意の整数
Ｓ＝第１ロータコアと第２ロータコアとのスキュー角
になるように第２ピン孔を形成する工程と、前記第１ロータコアの前記第１ピン孔に、前記第１ロータコアの軸方向長さよりも長いピンを挿入する工程と、前記第１ロータコアより突出した前記ピンを前記第２ロータコアの前記第２ピン孔に挿入する工程と、前記ピンが挿入された状態で、前記第１ヨークおよび前記第２ヨークの前記軸中心に形成された開口部（例えば、実施形態における開口部７５，８５）に前記シャフトを挿通させる工程と、を有することを特徴としている。
【発明の効果】
【００１５】
請求項１に記載した発明によれば、第１ロータコアの第１ピン孔および第２ロータコアの第２ピン孔にピンを挿通させることにより、第１ロータコアと第２ロータコアとはスキュー角Ｓ分ずれた状態で保持することができる。したがって、第１ピン孔および第２ピン孔を形成するだけで第１ロータコアと第２ロータコアを所望の角度だけスキューさせることができるため、簡易な構成でスキューされたロータコアを得ることができる。
【００１６】
請求項２に記載した発明によれば、軸中心と永久磁石の周方向中心とを結ぶ線分を境にそれぞれＳ／２の位置に第１ピン孔および第２ピン孔を形成したため、第１ロータコアおよび第２ロータコアの重量バランスを略均一にすることができる。したがって、ロータ回転時に回転軸を中心に高精度に回転させることができる。
【００１７】
請求項３に記載した発明によれば、第１ピン孔および第３ピン孔の２箇所にピンを挿通させることで、より正確にロータコアの位置決めを行うことができる。
【００１８】
請求項４に記載した発明によれば、第２ピン孔および第４ピン孔の２箇所にピンを挿通させることで、より正確にロータコアの位置決めを行うことができる。
【００１９】
請求項５に記載した発明によれば、平板鋼板を無転積で積層すると平板鋼板の厚さの交差が一方に集中するため、ロータコアの軸方向の厚さにばらつきが生じるが、第１ロータコアに対して第２ロータコアを１８０°回転させて積層することにより、ロータコアの軸方向の厚さを略均一にすることができる。したがって、ロータコアの軸方向端面が回転軸に直交する面と略平行にすることができ、ロータコアの軸方向端面に端面板を確実に取り付けることができる。
【００２０】
請求項６に記載した発明によれば、第１ロータコアおよび第２ロータコアを同一の工程で製造することができるため、生産効率を向上することができる。
【００２１】
請求項７に記載した発明によれば、第１ロータコアの第１ピン孔および第２ロータコアの第２ピン孔にピンを挿通させることにより、第１ロータコアと第２ロータコアとはスキュー角Ｓ分ずれた状態で保持することができる。したがって、第１ピン孔および第２ピン孔を形成するだけで第１ロータコアと第２ロータコアを所望の角度だけスキューさせることができるため、簡易な構成でスキューされたロータコアを得ることができる。
【図面の簡単な説明】
【００２２】
【図１】本発明の実施形態における車両用モータユニットの概略縦断面図である。
【図２】本発明の実施形態におけるロータの正面図である。
【図３】図２のＡ−Ａ線に沿う断面図である。
【図４】本発明の実施形態における第１ロータコアの正面図である。
【図５】本発明の実施形態における第２ロータコアの正面図である。
【図６】本発明の実施形態におけるロータの製造方法を示す説明図（１）である。
【図７】本発明の実施形態におけるロータの製造方法を示す説明図（２）である。
【図８】本発明の実施形態におけるロータの製造方法を示す説明図（３）である。
【図９】本発明の実施形態におけるロータの製造過程における別の態様を示す説明図である。
【発明を実施するための形態】
【００２３】
次に、本発明の実施形態を図１〜図９に基づいて説明する。なお、本実施形態では車両用駆動モータユニットに採用したモータについて説明する。
【００２４】
図１は車両用駆動モータユニットの概略構成断面図である。図１に示すように、車両用駆動モータユニット（以下、モータユニットという。）１０は、ステータ２１及びロータ２２を備えたモータ２３を収容するモータハウジング１１と、モータハウジング１１の軸方向一方側に締結され、モータ２３のシャフト２４からの動力を伝達する動力伝達部（不図示）を収容するミッションハウジング１２と、モータハウジング１１の軸方向他方側に締結され、モータ２３の回転センサ２５を収容するセンサハウジング１３と、を備えている。なお、ミッションハウジング１２は、モータハウジング１１に締結された共用ハウジング１２Ａと、共用ハウジング１２Ａに締結されたギアハウジング１２Ｂとで構成されている。また、モータハウジング１１の内部はモータ室３６、ミッションハウジング１２の内部はミッション室３７、センサハウジング１３の内部はセンサ室３８として、それぞれ構成されている。
【００２５】
モータハウジング１１は、モータ２３全体を覆うような略円筒形状で形成されている。共用ハウジング１２Ａは、モータハウジング１１とミッションハウジング１２との境界部を構成しており、モータハウジング１１とミッションハウジング１２との間にモータ室３６とミッション室３７とを仕切る仕切壁４１が形成されている。この仕切壁４１の軸方向から見た正面視略中央部には、仕切壁４１の厚さ方向に貫通する貫通孔４０が形成されている。この貫通孔４０内には、モータ２３のシャフト２４の一端側を回転自在に支持するベアリング２６が配されている。シャフト２４の一端には、ミッションハウジング１２内で動力伝達部と噛合するヘリカルギア（斜歯歯車）２８が固定されている。
【００２６】
センサハウジング１３の軸方向から見た正面視略中央部には、軸方向一端側に向けて突出するボス部５０が形成されている。ボス部５０の略中央部には、軸方向に貫通してセンサ室３８とモータ室３６とを連通する貫通孔５１が形成されており、この貫通孔５１を通ってセンサ室３８内にシャフト２４の他端側が配されている。そして、センサ室３８の回転センサ２５によりシャフト２４の回転角度を検出することで、モータ２３の回転角度を検出できるようになっている。貫通孔５１の内周面における他端側（センサ室３８側）には、貫通孔５１の内周面から径方向内側に張り出す内フランジ部５２が形成されている。そして、貫通孔５１の一端側には、貫通孔５１の内周面と内フランジ部５２の端面とに囲まれたベアリングハウジング５３が構成されている。そして、このべアリングハウジング５３内にモータ２３のシャフト２４の他端側を回転自在に支持するベアリング２７が配されている。この場合、シャフト２４の正転方向は、シャフト２４の一端側から他端側を見て時計回りになっている（図１、図２中矢印Ｂ参照）。
【００２７】
なお、モータユニット１０内（モータハウジング１１、ミッションハウジング１２、センサハウジング１３）には、ベアリング２６，２７やモータ２３などを冷却するための冷却油（不図示）が導入されており、上述したモータ２３は、ステータ２１の一部が冷却油に浸漬した状態で配置されている。また、ミッションハウジング１２内には、オイルポンプ（不図示）が設けられており、オイルポンプにより汲み上げられた冷却油が、図示しない油路を通ってモータユニット１０内を循環可能に構成されている。そして、モータユニット１０内を循環する冷却油がベアリング２６，２７などに供給されることでベアリング２６，２７などが冷却されるようになっている。
【００２８】
また、モータハウジング１１の壁部３１、ミッションハウジング１２の壁部３２及びセンサハウジング１３の壁部３３には、互いに連通するブリーザ通路３５がそれぞれ形成され、ブリーザ配管３９からモータユニット１０内の高圧・高温の空気を排出することができるようになっている。
【００２９】
さらに、モータハウジング１１の壁部３１内には、モータ２３を冷却するためのウォータジャケット５５が、モータ２３におけるステータ２１の全周を覆うように設けられている。また、ステータ２１は、モータハウジング１１に焼き嵌めされており、モータハウジング１１の内周面に密着するように配されている。
【００３０】
次に、モータ２３の構成について説明する。本実施形態のモータ２３は、インナーロータ型のモータであって、筒状のステータ２１と、ステータ２１の内側に配置された円柱状のロータ２２と、ロータ２２と同軸状に圧入固定され回転可能に支持されたシャフト２４と、を備えている。
【００３１】
ステータ２１は、磁性板材４４が軸方向に積層されたものであって、径方向内側に向かって延びるティース（不図示）を備えている。このティースには、インシュレータ（不図示）を介してコイル４３が巻装されている。
【００３２】
図２はロータの正面図であり、図３は図２のＡ−Ａ線に沿う断面図である。また、図４は第１ロータコアの正面図であり、図５は第２ロータコアの正面図である。
図２、図３に示すように、ロータ２２は、上述したステータ２１の内側に所定間隔を空けて配置された軸方向から見た正面視略リング状の部材であり、磁性板材４４が積層されたロータコア６１を有している。ロータコア６１は、第１ロータコア７０と第２ロータコア８０とに軸方向に分割されている。また、第１ロータコア７０の周縁部には周方向に略等間隔に収容孔７３が形成され、収容孔７３内には永久磁石７４が配されており、第２ロータコア８０の周縁部には周方向に略等間隔に収容孔８３が形成され、収容孔８３内には永久磁石８４が配されている。
【００３３】
さらに、第１ロータコア７０および第２ロータコア８０の正面視略中央部には開口部７５，８５がそれぞれ形成されており、開口部７５，８５にはシャフト２４が圧入固定されている。
【００３４】
まず、図４に示すように、一方の第１ロータコア７０は、シャフト２４の軸方向に沿って磁性板材４４が積層されたものであり、その径方向中央部には第１ロータコア７０の軸方向に貫通する開口部７５が形成されている。第１ロータコア７０の周縁部には、第１ロータコア７０の軸方向に貫通する複数の収容孔７３が形成されている。また、本実施形態では、第１ロータコア７０の正面視において、収容孔７３の略中央で第１ロータコア７０の径方向に沿う方向に、収容孔７３を二分割するようにリブ７７が形成されている。つまり、リブ７７は、永久磁石７４の周方向中心に位置するように形成されている。なお、このリブ７７により、永久磁石７４も二分割されて配されている。
【００３５】
複数の収容孔７３は、第１ロータコア７０の周縁部において、周方向に沿って略等間隔に形成されており、正面視で弧状や長方形状に形成されている。各収容孔７３内には、ネオジウムなどの希土類からなる永久磁石７４が配されている。この永久磁石７４は、軸方向に沿って複数分割されて構成されており、永久磁石７４の端面が第１ロータコア７０の両端面７０ａ，７０ｂ（図３参照）と面一となるように配されている。このように永久磁石７４を軸方向に沿って複数に分割することで、永久磁石７４に発生する渦電流損失を低減することができる。また、第１ロータコア７０には、軽量化を図るために肉抜孔７６が複数形成されている。
【００３６】
図５に示すように、他方の第２ロータコア８０は、第１ロータコア７０に対して軸方向他端側に設けられており、第１ロータコア７０の他端側の端面７０ｂと第２ロータコア８０の一端側の端面８０ａとが当接された状態で積層されている。第２ロータコア８０は、第１ロータコア７０と同様にシャフト２４の軸方向に沿って磁性板材４４が積層されたものであり、その径方向中央部には第２ロータコア８０の軸方向に貫通する開口部８５が形成されている。第２ロータコア８０の周縁部には、第２ロータコア８０の軸方向に貫通する複数の収容孔８３が、周方向に沿って略等間隔に形成されている。
【００３７】
また、第２ロータコア８０の正面視において、収容孔８３の略中央で第２ロータコア８０の径方向に沿う方向に、収容孔８３を二分割するようにリブ８７が形成されている。つまり、リブ８７は、永久磁石８４の周方向中心に位置するように形成されている。なお、このリブ８７により、永久磁石８４も二分割されて配されている。各収容孔８３内には、ネオジウムなどの希土類からなる永久磁石８４が配されている。この永久磁石８４は、軸方向に沿って複数分割されて構成されており、永久磁石８４の端面が第２ロータコア８０の両端面８０ａ，８０ｂと面一となるように配されている。また、第２ロータコア８０には、軽量化を図るために肉抜孔８６が複数形成されている。
【００３８】
また、図３に戻り、ロータヨーク６１の軸方向両端面（第１ロータコア７０の一端面７０ａおよび第２ロータコア８０の他端面８０ｂ）には、ロータヨーク６１を挟持する一対の端面板９０が圧入固定されている。端面板９０は、ロータヨーク６１の外径と同等の外径を有する円板状の部材であり、その径方向中央部には、端面板９０の厚さ方向に貫通する圧入孔９１が形成されている。一方の端面板９０は、第１ロータコア７０の一端側の端面７０ａ、つまりロータヨーク６１の一端側の端面７０ａに当接している一方、他方の端面板９０は、第２ロータコア８０の他端側の端面８０ｂ、つまりロータヨーク６１の他端側の端面８０ｂに当接している。
【００３９】
一対の端面板９０は、各分割ヨーク７０，８０の収容孔７３，８３内に保持された永久磁石７４，８４が、収容孔７３，８３から抜けて飛散することを防ぐものであり、各分割ヨーク７０，８０の収容孔７３，８３を覆うように設けられている。これにより、永久磁石７４，８４の端面と第１ロータコア７０，第２ロータコア８０の端面７０ａ，８０ｂとが面一に保持される。
【００４０】
ここで、図４に示すように、第１ロータコア７０には、正面視略円形の第１ピン孔７８および第３ピン孔７９が軸方向に沿って形成されている。第１ピン孔７８および第３ピン孔７９は、軸中心Ｃからの距離が同じで、周方向に１８０°異なる位置に形成されている。また、第１ピン孔７８および第３ピン孔７９は、肉抜孔７６より径方向外側で、収容孔７３より径方向内側の領域に形成されている。さらに、第１ピン孔７８は、軸中心Ｃと第１ピン孔７８の直近のリブ７７とを結ぶ線分Ｅに対して正面視で時計方向の周方向にＳ／２ずれた位置に形成されている。なお、Ｓは第１ロータコア７０と第２ロータコア８０とのスキュー角である。したがって、第３ピン孔７９も軸中心Ｃと第３ピン孔７９の直近のリブ７７とを結ぶ線分Ｅに対して周方向にＳ／２ずれた位置に形成されている。
【００４１】
また、図５に示すように、第２ロータコア８０には、正面視略円形の第２ピン孔８８および第４ピン孔８９が軸方向に沿って形成されている。第２ピン孔８８および第４ピン孔８９は、軸中心Ｃからの距離が同じで、周方向に１８０°異なる位置に形成されている。また、第２ピン孔８８および第４ピン孔８９は、肉抜孔８６より径方向外側で、収容孔８３より径方向内側の領域に形成されている。さらに、第２ピン孔８８は、軸中心Ｃと第２ピン孔８８の直近のリブ８７とを結ぶ線分Ｅに対して正面視で反時計方向の周方向にＳ／２ずれた位置に形成されている。したがって、第４ピン孔８９も軸中心Ｃと第４ピン孔８９の直近のリブ８７とを結ぶ線分Ｅに対して周方向にＳ／２ずれた位置に形成されている。また、第２ピン孔８８および第４ピン孔８９は、第１ピン孔７８および第３ピン孔７９と略同一形状に形成されている。
【００４２】
なお、第１ピン孔７８と第２ピン孔８８とは、軸中心Ｃから径方向への距離が等しく、軸中心（回転軸）Ｃを中心として、第１ピン孔７８と第２ピン孔８８とのなす角度がθ×Ｎ＋Ｓの位置に形成されていればよい。ただし、θは軸中心Ｃを中心として隣り合う永久磁石７４，７４（８４，８４）の周方向中心（リブ７７，７７（８７，８７））のなす角度であり、Ｎは永久磁石７４（８４）の個数以下の任意の整数（本実施形態では８以下の整数）であり、Ｓは第１ロータコア７０と第２ロータコア８０とのスキュー角である。
【００４３】
また、本実施形態では、第１ロータコア７０には第１ピン孔７８および第３ピン孔７９を形成し、第２ロータコア８０には第２ピン孔８８および第４ピン孔８９を形成しているが、両方のロータコア７０，８０に第１〜第４ピン孔７８，７９，８８，８９を形成してもよい。このようにすると、第１ロータコア７０を構成する磁性板材４４と第２ロータコア８０を構成する磁性板材４４は、同じものを用いることができる。したがって、同一の工程で磁性板材４４を製造することができるため、各ロータコア７０，８０の生産効率を向上することができる。
【００４４】
次に、ロータ２２の製造方法について説明する。
まず、第１ピン孔７８および第３ピン孔７９が形成された磁性板材４４を積層して第１ロータコア７０を形成する。そして、第１ロータコア７０の収容孔７３に永久磁石７４を配する。
【００４５】
また略同時に、第２ピン孔８８および第４ピン孔８９が形成された磁性板材４４を積層して第２ロータコア８０を形成する。そして、第２ロータコア８０の収容孔８３に永久磁石８４を配する。
【００４６】
続いて、図６に示すように、第１ロータコア７０の第１ピン孔７８および第３ピン孔７９にそれぞれピン６５を挿通させる。なお、ピン６５は例えば非磁性体で形成された棒状部材であり、ピン６５の長さは第１ロータコア７０の厚さよりも長くなっている。また、ピン６５は、第１ピン孔７８および第３ピン孔７９に対してルーズに挿入可能になっている。つまり、第１ピン孔７８および第３ピン孔７９の直径よりもピン６５の直径は小さい。
【００４７】
続いて、図７に示すように、ピン６５が取り付けられた第１ロータコア７０に対して第２ロータコア８０を当接させる。具体的には、第１ロータコア７０の他端面７０ｂと第２ロータコア８０の一端面８０ａとを当接させる。このとき、第１ロータコア７０の他端面７０ｂから突出しているピン６５に第２ロータコア８０の第２ピン孔８８および第４ピン孔８９を挿通させるようにして当接させる。このようにすることで、第１ロータコア７０と第２ロータコア８０とはスキュー角Ｓをもって当接されることとなる。
【００４８】
続いて、図８に示すように、第１ロータコア７０と第２ロータコア８０とが当接された状態で、第２ロータコア８０の他端面８０ｂを下にしてステージ６７上に載置する。このとき、ピン６５は第１〜第４ピン孔７８，７９，８８，８９に対してルーズに挿通されているため、ピン６５は下方（第２ロータコア８０側）に移動する。なお、このとき第１ロータコア７０の一端面７０ａ側および第２ロータコア８０の他端面８０ｂ側には端面板９０を配しておく。このように載置された状態で、ステージ６７の上方からシャフト２４を開口部７５，８５に挿通させて圧入固定する。
【００４９】
そして、シャフト２４に圧入固定された第１ロータコア７０および第２ロータコア８０からピン６５を取り除いた後、空洞になっている第１〜第４ピン孔７８，７９，８８，８９に対して磁性材料を充填することでロータ２２の製造が完了する。なお、このように端面板９０とロータコア６１とを同時に圧入する場合には、端面板９０の少なくともいずれか一方に、ピン孔に対応した位置にピン６５を取り除くための貫通孔が形成されている。または、シャフト２４にロータコア６１のみを先に圧入固定してピン孔を磁性材料で充填した後に、端面板９０を圧入固定するように構成してもよい。
【００５０】
本実施形態によれば、第１ロータコア７０の第１ピン孔７８および第２ロータコア８０の第２ピン孔８８にピン６５を挿通させることにより、第１ロータコア７０と第２ロータコア８０とはスキュー角Ｓ分ずれた状態で保持することができる。したがって、第１ピン孔７８および第２ピン孔８８を形成するだけで第１ロータコア７０と第２ロータコア８０を所望の角度だけスキューさせることができるため、簡易な構成でスキューされたロータコア６１を得ることができる。
【００５１】
また、軸中心Ｃと永久磁石７４，８４の周方向中心（リブ７７，８７）とを結ぶ線分Ｅを境にそれぞれＳ／２の位置に第１ピン孔７８および第２ピン孔８８を形成したため、第１ロータコア７０および第２ロータコア８０の重量バランスを略均一にすることができる。したがって、ロータ２２の回転時に回転軸Ｃを中心に高精度に回転させることができる。
【００５２】
また、第１ロータコア７０に第３ピン孔７９を形成するとともに、第２ロータコア８０に第４ピン孔８９を形成し、２箇所にピン６５を挿通させることで、より正確に各ロータコア７０，８０の位置決めを行うことができる。
【００５３】
尚、本発明は上述した実施形態に限られるものではなく、本発明の趣旨を逸脱しない範囲において、上述した実施形態に種々の変更を加えたものを含む。すなわち、実施形態で挙げた具体的な構造や形状などはほんの一例に過ぎず、適宜変更が可能である。
例えば、本実施形態においては、ピン孔の形状を正面視円形形状にした場合で説明したが、ピン孔の形状は矩形など別の形状であってもよい。なお、ピン孔を矩形形状にする場合には、第１ロータコアと第２ロータコアとを当接させたときにピン孔の形状が一致するように形成しておくことが望ましい。
【００５４】
また、本実施形態では磁性板材４４を積層して各ロータコア７０，８０を構成するようにしたが、磁性板材４４をプレス加工などで製造する場合に同じ向きで積層すると、磁性板材４４の厚さの交差が一方に集中するため、ロータコアの軸方向の厚さにばらつきが生じる。したがって、図９に示すように、第１ロータコア７０に対して第２ロータコア８０を約１８０°周方向に回転させて積層することにより、ロータコア６１の軸方向の厚さを略均一にすることができる。なお、このようにすることで、ロータコア６１の軸方向端面がシャフト２４の回転軸Ｃに直交する面と略平行にすることができ、ロータコア６１の軸方向端面に端面板９０を確実に取り付けることができる。
【符号の説明】
【００５５】
２２…ロータ  ２４…シャフト  ４４…磁性板材（平板鋼板）  ６１…ロータコア  ６５…ピン  ７０…第１ロータコア  ７４…永久磁石  ７５…開口部  ７８…第１ピン孔  ７９…第３ピン孔  ８０…第２ロータコア  ８４…永久磁石  ８５…開口部  ８８…第２ピン孔  ８９…第４ピン孔  Ｃ…軸中心、回転軸  Ｅ…線分
【図１】
2010252418.tif 000003
【図２】
2010252418.tif 000004
【図３】
2010252418.tif 000005
【図４】
2010252418.tif 000006
【図５】
2010252418.tif 000007
【図６】
2010252418.tif 000008
【図７】
2010252418.tif 000009
【図８】
2010252418.tif 000010
【図９】
2010252418.tif 000011